(57)【特許請求の範囲】
【請求項１】
コンバイン後部に脱穀済排稈を切断するカッタ機構（１）と排稈案内カバー（２）を装着し切断済排稈を圃場に放出案内する排稈案内装置において、該案内カバー（２）の未刈地側案内側板（３）を機体の内側方向へ傾斜角度変更可能に構成するに、該案内側板（３）の回動軸芯（２５）を後方下方に向けて斜設し該案内側板（３）の、機体内側方向への回動に連動して後側案内板（４）をその水平状回動軸芯（２６）を中心に後方上方へ向けて押圧傾動可能に構成してなるコンバインの排稈案内装置。
【発明の詳細な説明】
【０００１】
【発明の属する技術分野】
本発明は、コンバインから供給される脱穀済排稈をカッタ機構により細断し、該切断済排稈を圃場に放出案内するコンバインの排稈案内装置に関する。
【０００２】
【従来の技術】
従来より、コンバインの排稈案内装置は切断済排稈を放出案内する為に、又、作業者がカッタ機構の下側から手を入れて負傷することがないように、カッタ機構の下側周囲を排稈案内カバーで覆っている。
そして、該排稈案内カバーを形成する後側案内板を後方傾斜状態に装着してカッタ機構下側の排稈案内カバーで囲んだスペースを拡張し、切断済排稈を該排稈案内カバーで規制することなく良好に放出案内する構成をした排稈案内装置がある。
又、上記排稈案内カバーの未刈地側の案内側板を適宜角度で機体の内側方向へ傾斜可能に構成し、未刈地側に放出される切断済排稈を既刈地側にガイドするものもある。
【０００３】
【発明が解決しようとする課題】
一般にコンバインは、機体を納屋等の狭スペースに収納したりトラックに積込んで運搬することが多く、走行時の小回り性の向上や収納時のコンパクト化の為に機体全長が短いことが望まれている。
一方、コンバイン後部に装着した排稈案内装置は切断済排稈を良好に放出案内する為に、カッタ機構下側のスペースが広いことが望ましい。
しかし、従来技術の如く、排稈案内カバーを形成する後側案内板を後方傾斜状態に装着してカッタ機構下側の排稈案内カバーで囲んだスペースを拡張する構成では、該スペースの拡張分だけ機体全長が長くなり望ましくない。
【０００４】
【課題を解決するための手段】
コンバイン後部に脱穀済排稈を切断するカッタ機構１と排稈案内カバー２を装着し切断済排稈を圃場に放出案内する排稈案内装置において、該案内カバー２の未刈地側案内側板３を機体の内側方向へ傾斜角度変更可能に構成するに、該案内側板３の回動軸芯２５を後方下方に向けて斜設し該案内側板３の、機体内側方向への回動に連動して後側案内板４をその水平状回動軸芯２６を中心に後方上方へ向けて押圧傾動可能に構成した。
【０００５】
【発明の作用及び効果】
本発明の排稈案内装置においては、未刈地側案内板３の機体内側方向への回動に連動して後側案内板４を後方上方へ向けて傾動可能に構成したものであるから、案内側板３の垂下状態時には、該後側案内板４も垂下状態に保持されて、機体を納屋等の狭スペースに収納する時に該後側案内板４によって機体全長を拡張することなくコンパクトに収納することができる。
又、コンバイン作業時には、案内側板３を内側へ回動させるだけの簡単な操作でカッタ機構１下側の排稈案内カバー２で囲んだスペースを拡張することができ、切断済排稈を該排稈案内カバー２で規制することなく既刈地方向へ良好に放出案内することができる。
【０００６】
【発明の実施の形態】
次に本発明の実施の形態を、図面を参照して説明する。
本発明の排稈案内装置を有するコンバインは、クローラ走行装置５を有する車体上に脱穀装置６を搭載し、前部の刈取装置７で刈取った穀稈を第一フィードチェン８で後方へ搬送しながら穂先部を脱穀室９内へ供給させて脱穀を行う。そして、該脱穀物を下方の選別室１０内に収容し、揺動棚１１、排塵ファン１２等の選別装置にて選別した後、揚穀機１３によって選別済穀粒をグレンタンク１４内に収容する。
脱穀室９で脱穀した排稈は、第二フィードチェン１５によって後方の排出部へ搬送されてカッタ機構１上に排出される。
【０００７】
カッタ機構１は、コンバインの脱穀済排稈を排出する排出部に装着されてコンバイン作業と同時に排稈切断作業を行うものであり、機体後部に左右方向に向けて装着した一対のカッタ軸１６，１７に切断間隔毎に複数の回転刃１８，１９を配列して、該回転刃１８，１９の回転によってコンバイン本機から供給される脱穀済排稈を短く切断する。
カッタ軸１６，１７は左右の側枠２０，２１間に軸受され、コンバイン本機からの駆動力を側枠２０外側の伝動プーリ２２で受けて互いに反対方向に連動回転する。カッタ軸１６，１７の後方は、左右の側枠２０，２１間を連結する後枠２３で覆っている。
【０００８】
カッター機構１の下側には切断済排稈を放出案内する排稈案内カバー２を装着している。該排稈案内カバー２は左右の側枠２０，２１の下側に装着の左右の案内側板３，２４と、後枠２３の下側に装着の後側案内板４とで構成してあり、左側の案内側板３、即ち、未刈地側の案内側板３により、切断済排稈の未刈稈上への落下を防止すると共に、風等の影響を防止して切断排稈を放出案内する。又、カッター機構１の下側周囲を覆うことで、作業者等がカッター機構１へ接触するのを防止する。
各案内板３，２４，４は薄板の樹脂板で構成しており、障害物との比較的軽度の接触をその撓みにより吸収する。
未刈地側の案内側板３は、その中間部に後方下方に向けて斜設したヒンジ状の折曲部を形成してこれを回動軸芯２５とし、該回動軸芯２５を中心に案内側板３を機体内側方向へ回動させて、切断済排稈を機体の既刈地側へ案内可能に構成してある。
又、後側案内板４にはその上下中間部に、前記回動軸芯２５の後端と同高さ位置で水平方向にヒンジ状の折曲部を形成しこれを水平状の回動軸芯２６に構成してあり、該回動軸芯２６を中心に格納位置と後方上方に傾斜する切断済排稈の放出案内位置とに回動切換可能に構成してある。
未刈地側の案内側板３の後端下部にはＬ型のフランジ２７を止着してナット２８を後方に向け溶着してあり、後側案内板４に形成の長孔２９側から螺合させるノブボルト３０により両者を締付固定可能に構成してある。なお、後側案内板４は左右案内側板３，２４間より広幅に形成し該左右案内側板３，２４の後方を覆ってある。
【０００９】
以上の構成の排稈案内装置を用いて脱穀済排稈の切断、放出作業を行うと、コンバインから搬送供給される脱穀済排稈を複数の回転刃１８，１９を有するカッタ機構１で細断し、該切断済排稈をカッタ機構１の下側から圃場に放出案内する。
この時カッタ機構１下側の排稈案内カバー２は、左側の未刈地側案内側板３を適宜角度で機体の内側方向へ回動固定し、該案内側板３によって、穀稈の未刈地側に放出される切断済排稈を受けて既刈地側にガイドする。
案内側板３の傾斜角度を調節する時は、ノブボルト３０を緩めて該案内側板３を回動軸芯２５を中心に回動させて行うが、該軸芯２５は後方下方へ向けて斜設させており、図４に示す如く案内側板３の後端が側面視後方へ突出し、該突出によって後側案内板４を回動軸芯２６を中心に後方へ押し上げ傾斜させる。
そして、該後方へ押し上げられた後側案内板４によって排稈案内カバー２のスペースを後方へ拡張し、切断済排稈を該排稈案内カバー２で規制することなく良好に放出案内することができる。
【００１０】
コンバインを納屋等の狭スペースに収納する時は、ノブボルト３０を緩め案内側板３を回動軸芯２５を中心に外方へ回動させて後側案内板４への押し上げを解除しこの位置でノブボルト３０を締付けることにより、図３に示す如く該後側案内板４を垂下させて機体全長をコンパクト化し、走行時の小回り性及び機体の収納性を向上することができる。
尚、図例では回動軸芯２５，２６をヒンジ状の折曲部により構成してあるが、蝶番等で構成しても同様の効果を奏する。
又、請求の範囲の項に図面との対照と便利にする為に番号を記すが、この記入により本発明は添付図面の構成に限定されるものではない。
【００１１】
【図面の簡単な説明】
【図１】排稈案内装置の展開背面図。
【図２】コンバイン作業時の排稈案内装置の展開背面図。
【図３】排稈案内装置の側面図。
【図４】コンバイン作業時の排稈案内装置の側面図。
【図５】コンバインの側面図。
【符号の説明】
１    カッタ機構
２    排稈案内カバー
３    未刈地側の案内側板
４    後側案内板
２５  回動軸芯
２６  水平状回動軸芯
【図１】
0004614179.tif 000002
【図２】
0004614179.tif 000003
【図３】
0004614179.tif 000004
【図４】
0004614179.tif 000005
【図５】
0004614179.tif 000006